(57)【要約】【課題】無線周波数（ＲＦ）通信ネットワークの複数のＲＦチャネルのうちの少なくとも１つのＲＦチャネルを介してメッセージを送信する方法を提供する。【解決手段】方法は、複数のＲＦチャネルのうちの少なくとも１つのＲＦチャネルにおける妨害パルスの有無を検出する過程を含む。複数のＲＦチャネルのうちの少なくとも１つのＲＦチャネルにおける妨害パルスの、少なくとも妨害パルスの隙間を定義する特性が判定される。メッセージは、妨害パルスの特性を判定する過程から判定された妨害パルスの隙間の中でメッセージが送信されるように、複数のＲＦチャネルのうちの少なくとも１つのＲＦチャネルを介して送信される。【選択図】            図１
2004274634.tif 000002
【特許請求の範囲】
【請求項１】
複数の無線周波数（ＲＦ）チャネルを有するＲＦ通信ネットワークを介してメッセージを通信する方法において、
メッセージを所定の順序を有する複数のブロックに分割する過程と、
複数のブロックを複数のパケットに変換する過程と、
複数のパケットから１つのサブセットを選択する過程と、
複数のパケットのうちの被選択サブセットを前記ＲＦ通信ネットワークの複数のＲＦチャネルのうちの少なくとも１つのＲＦチャネルを介して送信する過程と、
複数のＲＦチャネルのうちの前記少なくとも１つのＲＦチャネルを介して送信された複数のパケットのうちの被選択サブセットを受信する過程と、
複数のパケットのうちの少なくとも受信された被選択サブセットから複数のＲＦチャネルのうちの前記少なくとも１つのＲＦチャネルの品質を推定する過程と、
複数のパケットのうちの少なくとも受信された被選択サブセットと、複数のＲＦチャネルのうちの前記少なくとも１つのＲＦチャネルの推定された品質とを使用して、メッセージの推定を構成する過程とから成る方法。
【請求項２】
複数のパケットの各々は少なくともブロック番号フィールドと、ブロックフィールドと、エラーコントロールフィールドとを含む請求項１記載の方法。
【請求項３】
エラーコントロールフィールドは巡回冗長コードを含む請求項２記載の方法。
【請求項４】
エラーコントロールフィールドは順方向エラー訂正符号化情報を含む請求項２記載の方法。
【請求項５】
複数のパケットのうちのサブセットを選択する過程は、複数のパケットのうちの、所定のエラーなし受信確率を有するサブセットを選択することから成る請求項１記載の方法。
【請求項６】
複数のパケットのうちの被選択サブセットを送信する過程は、直交周波数分割多重（ＯＦＤＭ）通信技法を使用する請求項１記載の方法。
【請求項７】
複数のパケットのうちの被選択サブセットを送信する過程は、Ｂｌｕｅｔｏｏｔｈ通信技法及びＩＥＥＥ規格８０２．１１通信技法から成る技法群から選択される通信技法を使用して複数のパケットのうちの被選択サブセットを送信することから成る請求項１記載の方法。
【請求項８】
送信する過程は、
前記複数のＲＦチャネルのうちの少なくとも１つのＲＦチャネルにおける妨害パルスの有無を検出する過程と、
前記複数のＲＦチャネルのうちの少なくとも１つのＲＦチャネルにおける妨害パルスの、少なくとも妨害パルスの隙間を定義する特性を判定する過程と、
複数のパケットのうちの被選択サブセットを前記複数のＲＦチャネルのうちの少なくとも１つのＲＦチャネルを介して、複数のパケットのうちの被選択サブセットが妨害パルスの特性を判定する過程から判定された妨害パルスの隙間の中で送信されるように送信する過程とを更に含む請求項１記載の方法。
【請求項９】
特性は少なくとも妨害パルスの持続時間と、妨害パルスの繰返し時間とを含む請求項８記載の方法。
【請求項１０】
方法は、メッセージの複数のブロックを得るために複数のパケットのうちの受信された被選択サブセットを処理することを更に含む請求項１記載の方法。
【請求項１１】
メッセージの推定を構成する過程は、所定の順序を有する複数のブロックを得るためにメッセージの複数のブロックを順序付けする過程を含む請求項１０記載の方法。
【請求項１２】
複数のパケットのうちの被選択サブセットを送信する過程はＢｌｕｅｔｏｏｔｈ通信技法を使用する請求項１記載の方法。
【請求項１３】
複数のパケットのうちの被選択サブセットを送信する過程はＩＥＥＥ規格８０２．１１通信技法を使用する請求項１記載の方法。
【請求項１４】
無線周波数（ＲＦ）通信ネットワークの複数のＲＦチャネルのうちの少なくとも１つのＲＦチャネルを介してメッセージを送信する方法において、
前記複数のＲＦチャネルのうちの少なくとも１つのＲＦチャネルにおける妨害パルスの有無を検出する過程と、
前記複数のＲＦチャネルのうちの少なくとも１つのＲＦチャネルにおける妨害パルスの、少なくとも妨害パルスの隙間を定義する特性を判定する過程と、
前記複数のＲＦチャネルのうちの少なくとも１つのチャネルを介して、メッセージが妨害パルスの特性を判定する過程から判定された妨害パルスの隙間の中で送信されるようにメッセージを送信する過程とから成る方法。
【請求項１５】
メッセージを所定の順序を有する複数のブロックに分割する過程と、
複数のブロックを複数のパケットに変換する過程と、
複数のパケットのうちのサブセットを選択する過程とを更に含み、
送信する過程は、複数のパケットのうちの被選択サブセットを前記複数のＲＦチャネルのうちの少なくとも１つのＲＦチャネルを介して送信することを更に含む請求項１５記載の方法。
【請求項１６】
前記複数のＲＦチャネルのうちの少なくとも１つのＲＦチャネルを介して送信された複数のパケットのうちの被選択サブセットを受信する過程と、
複数のパケットのうちの少なくとも受信された被選択サブセットから複数のＲＦチャネルのうちの前記少なくとも１つのＲＦチャネルの品質を推定する過程と、
複数のパケットのうちの少なくとも受信された被選択サブセットと、複数のＲＦチャネルのうちの前記少なくとも１つのＲＦチャネルの推定された品質とを使用して、メッセージの推定を構成する過程とを更に含む請求項１５記載の方法。
【請求項１７】
方法は、メッセージの複数のブロックを得るために複数のパケットのうちの受信された被選択サブセットを処理することを更に含む請求項１６記載の方法。
【請求項１８】
メッセージの推定を構成する過程は、所定の順序を有する複数のブロックを得るためにメッセージの複数のブロックを順序付けする過程を含む請求項１７記載の方法。
【請求項１９】
複数のパケットのうちのサブセットを選択する過程は、複数のパケットのうちの、所定のエラーなし受信確率を有するサブセットを選択することから成る請求項１５記載の方法。
【請求項２０】
特性は少なくとも妨害パルスの持続時間と、妨害パルスの繰返し時間とを含む請求項１４記載の方法。
【請求項２１】
複数のパケットのうちの被選択サブセットを送信する過程はＢｌｕｅｔｏｏｔｈ通信技法を使用する請求項１４記載の方法。
【請求項２２】
複数のパケットのうちの被選択サブセットを送信する過程はＩＥＥＥ規格８０２．１１通信技法を使用する請求項１４記載の方法。
【発明の詳細な説明】
【０００１】
【発明の属する技術分野】
本発明は、短距離の無線周波数（ＲＦ）通信に関し、特に、通信信号のパワーと比較して強いパワーを有する常時混信波及び間欠的混信波が存在する場合の近距離ＲＦ通信信号の送信に関する。
【０００２】
【従来の技術】
最新の商用航空機エンジンがますます複雑さを増すのにつれて、航空機の乗務員にストレスがかかるのを防止するために様々な機能の自動制御を開発し、それを活用することが慣例となっている。この分野における信号開発の１つがフルオーソリティデジタルエンジンコントロール（ＦＡＤＥＣ）であった。以前より、商用ＦＡＤＥＣ技術は大型ジェット旅客機において稼動している。ＦＡＤＥＣは、極めて重要なエンジンパラメータの包括的監視及びそれに付随するエンジン制御変数の調整を実行する航空機制御方式である。ＦＡＤＥＣによって実現される制御ループによって燃料消費は著しく減少し、その結果、エンジン効率は向上し、航空機の運賃は低価格化された。また、エンジンの総合的信頼性の向上をも促進している。
【０００３】
航空機エンジンが更に大型化され、複雑になるにつれて、ＦＡＤＥＣ機能を分散することが望まれるようになった。ＦＡＤＥＣ機能を分散させる方法の１つは、ＦＡＤＥＣを２つのコンポーネントクラスから構成される分散型制御システムとして実現する。第１のコンポーネントクラスはリモートデジタルエレクトロニックコントローラ（ＲＤＥＣ）を構成する。ＲＤＥＣは、セントラルデジタルエレクトロニックコントローラ（ＣＤＥＣ）を構成する第２のコンポーネントクラスの監視の下にある。通常、コントローラであるＲＤＥＣ及び／又はＣＤＥＣは様々なセンサを含む。
【０００４】
ＦＡＤＥＣを分散システムとして実現した場合、ＣＤＥＣとＲＤＥＣとの間の信頼に足る通信が必要になる。通常、ＣＤＥＣとＲＤＥＣの通信は配線ケーブルを使用する。この方法はコストがかかり、分散型ＦＡＤＥＣ構成に適用された場合、保守に関して大きな負担増をもたらす。これまでに示唆された方法の１つは既存の近距離ＲＦ通信システムを使用する。例えば、Ｂｌｕｅｔｏｏｔｈなどの数多くのＲＦ通信技法を使用することができる。通常、Ｂｌｕｅｔｏｏｔｈはいくつかの電子モジュールの間のケーブル配線を排除するという目的をもって開発されたシステムアプローチである。更に、Ｂｌｕｅｔｏｏｔｈは、移動電子装置の間の近距離無線通信を促進しようと努めているエレクトロニクスメーカーの協会により支援される進展中の規格及び仕様である。もう１つの通信技法はＩＥＥＥ規格８０２．１１である。通常、ＩＥＥＥ規格８０２．１１は無線ローカルエリアネットワーク化に使用されており、搬送波感知多重アクセス／衝突回避（ＣＳＭＡ／ＣＡ）として知られている通信プロトコルを指定する。ＢｌｕｅｔｏｏｔｈとＩＥＥＥ規格８０２．１１は、共に、固定周波数帯域及び地理的領域に従って動作の周波数が変化することが可能である制御周波数帯域で動作するように設計された技法である。
【０００５】
しかし、Ｂｌｕｅｔｏｏｔｈ、ＩＥＥＥ規格８０２．１１及びその他の規格又は原規格の技法などの既存の近距離ＲＦ通信技法は、ＣＤＥＣ及びＲＤＥＣの動作環境の中に重大な電磁障害（ＥＭＩ）が存在するという理由により、分散型ＦＡＤＥＣでの使用に完全に適しているとは言い難い。動作環境に存在するＥＭＩは、例えば、レーダー及び強力な通信信号などの様々な原因によって起こる。強力な通信信号による混信は時間的にほぼ持続しており、長く続くと考えることができる。しかし、レーダー混信はその混信特性の上で異なる。通常、レーダー混信の特性には２つの種類がある。第１の種類は、通常は毎秒約３００パルスから約１，０００パルス（約３００から約１，０００ＰＰＳ）のパルス繰返し周波数（ＰＲＦ）を示し、パルス幅は約１から約３マイクロ秒であるいわゆる方形波パルスレーダーである。第２の種類は、通常は約１，０００から約３，０００ＰＰＳのＲＲＦを示し、パルス幅は約０．２５から約１．５マイクロ秒であるいわゆるパルス型レーダーである。加えて、ＥＭＩ混信は数多くの異なる周波数で出現することが可能である。
【０００６】
通信環境におけるＥＭＩは、ＥＭＩの継続とその持続時間によって通信システムに問題を引き起こす可能性がある。更に、受信される混信信号のパワーと混信信号スペクトル内容も通信システムに問題を引き起こす可能性がある。また、ＥＭＩ混信の不確かさも通信システムに問題を引き起こす可能性のある要因の１つである。具体的には、強力な通信信号は、相対的にデューティサイクルの低い周期的パルスから構成されるレーダー混信信号と比較して持続時間は長くなるが、限られた幅のスペクトル組成を有する。しかし、レーダー混信パルスの限られた持続時間はレーダー混信信号に幅広いスペクトル内容を与え、パルスのパルス持続時間が短いほど、混信スペクトルは幅広くなる。
【０００７】
近距離ＲＦ通信システムを採用する場合に考慮すべきもう１つの点は、通信システム自体が他のユーザに及ぼす影響である。第１の考慮事項として、米連邦通信委員会（ＦＣＣ）は無線信号の送信に関して法規を公布しており、それらの法規を守らなければならない。第２の考慮点として、近距離ＲＦ通信はホスト航空機の中に制御すべきＥＭＩ及びその他の電子回路を構成することができる。これらを考慮した結果、ＦＡＤＥＣ機能を支援する近距離通信に使用されるＲＦ信号送信を慎重に設計することが必要になるであろう。
【０００８】
最後に、もう１つ考慮すべき点はデータ搬送の時間の適宜設定に関する。間欠的に強い妨害を受けるＲＦリンクを介して信頼性の高い通信を実行するための一般的な方法は、確認／非確認に基づくデータ搬送プロトコルを使用する。分散型ＦＡＤＥＣ内部で通信されるべきデータの中には、この従来の技法を使用した場合に起こりうる待ち時間の延長を許容し得ないものもあるため、このような技法は通常は使用されない。
【０００９】
【発明が解決しようとする課題】
従って、法規に準拠し且つ付属の電子回路に適合する分散ＦＡＤＥＣのＣＤＥＣとＲＤＥＣとの間の動作の上で信頼できるＲＦ通信リンクを提供することが望まれる。
【００１０】
【課題を解決するための手段】
一実施例においては、複数の無線周波数（ＲＦ）チャネルを有するＲＦ通信ネットワークを介してメッセージを通信する方法が提供される。方法は、メッセージを所定の順序を有する複数のブロックに分割する過程を含む。複数のブロックは複数のパケットに変換される。複数のパケットのうちの１つのサブセットが選択される。複数のパケットのうちの被選択サブセットはＲＦ通信ネットワークの複数のＲＦチャネルのうちの少なくとも１つのＲＦチャネルを介して送信される。複数のＲＦチャネルのうちの少なくとも１つのＲＦチャネルを介して送信された複数のパケットのうちの被選択サブセットは受信される。複数のパケットのうちの少なくとも受信された被選択サブセットから、複数のＲＦチャネルのうちの少なくとも１つのＲＦチャネルの品質が推定される。複数のパケットのうちの少なくとも受信された被選択サブセットと、複数のＲＦチャネルのうちの少なくとも１つのＲＦチャネルの推定された品質とを使用してメッセージの推定が構成される。
【００１１】
別の実施例においては、無線周波数（ＲＦ）ネットワークの複数のＲＦチャネルのうちの少なくとも１つのＲＦチャネルを介してメッセージを送信する方法が提供される。方法は、複数のＲＦチャネルのうちの少なくとも１つのＲＦチャネルにおける妨害パルスの有無を検出する過程を含む。複数のＲＦチャネルのうちの少なくとも１つのＲＦチャネルにおける妨害パルスの、少なくとも妨害パルスの間の隙間を定義する特性が判定される。メッセージは、妨害パルスの特性を判定する過程から判定された妨害パルスの隙間の中で送信されるように、複数のＲＦチャネルのうちの少なくとも１つのＲＦチャネルを介して送信される。
【００１２】
【発明の実施の形態】
図１において、分散型フルオーソリティデジタルエンジンコントロール（ＦＡＤＥＣ）１００は、少なくとも１つの無線周波数（ＲＦ）リンク１１５を介して少なくとも１つのリモートデジタルエレクトロニックコントローラ（ＲＤＥＣ）１２０に接続されたセントラルデジタルエレクトロニックコントローラ（ＣＤＥＣ）１１０を具備する。一実施例では、ＲＦリンク１１５は両方向リンクであるが、別の実施例においては、ＲＦリンク１１５は一方向リンクである。ＣＤＥＣ１１０とＲＤＥＣ１２０は１つの動作ユニットの中に配置されており、所定の距離だけ離間して配置されることが可能である。一実施例では、この動作ユニットは、例えば、航空機などの輸送装置又は輸送車両である。ＣＤＥＣ１１０とＲＤＥＣ１２０は、動作ユニットの動作状態を監視し且つその動作変数及び／又は特性を制御するために、ＲＦリンク１１５を使用して情報を通信する。一実施例では、ＲＦリンク１１５はＢｌｕｅｔｏｏｔｈ通信技法を使用する。別の実施例においては、ＲＦリンク１１５はＩＥＥＥ規格８０２．１１通信技法を使用する。更に別の実施例では、ＲＦリンクはその他の規格又は原規格の通信技法を使用する。
【００１３】
更に図１に示すように、ＣＤＥＣ１１０は、ＲＦリンク１１５を介して通信するために使用されるＣＤＥＣトランシーバ１１２を含む。一実施例では、ＣＤＥＣトランシーバ１１２はＲＦリンク１１５を介して情報を送信する送信器を具備する。別の実施例においては、ＣＤＥＣトランシーバ１１２は、ＲＦリンク１１５を介して送信された情報を受信する受信器を具備する。更に別の実施例では、ＣＤＥＣトランシーバ１１２は、ＲＦリンク１１５を介して情報を送受信するための送信器と受信器の双方を具備する。同様に図１に示すように、ＲＤＥＣ１２０は、ＲＦリンク１１５を介してＣＤＥＣと通信するＲＤＥＣトランシーバ１１６を含む。一実施例では、ＲＤＥＣトランシーバ１１６はＲＦリンク１１５を介して情報を送信する送信器を具備する。別の実施例においては、ＲＤＥＣトランシーバ１１６は、ＲＦリンク１１５を介して送信された情報を受信する受信器を具備する。更に別の実施例では、ＲＤＥＣトランシーバ１１６は、ＲＦリンク１１５を介して情報を送受信するための送信器と受信器の双方を具備する。更に図１に示すように、一実施例では、ＲＦリンク１１５を介してＣＤＥＣ１１０を複数のＲＤＥＣ１２０に接続することが可能である。更に、動作ユニットの動作変数及び／又は動作ユニットにおける動作環境の条件を常時又は定期的に監視するために、各ＲＤＥＣ１２０は少なくとも１つのセンサ１３０に接続されている。動作ユニットの動作変数及び／又は特性を制御するために、センサ１３０から獲得される情報及び／又はデータはＲＤＥＣ１２０によりＲＦリンク１１５を介してＣＤＥＣ１１０へ通信されることを理解すべきである。更に、一実施例では、ＣＤＥＣトランシーバ１１２とＲＤＥＣトランシーバ１１６は直交周波数分割多重（ＯＦＤＭ）・広帯域送信器ユニットを具備する。
【００１４】
通常、ＣＤＥＣ１１０とＲＤＥＣ１２０を接続するＲＦリンク１１５は、例えば、電磁障害（ＥＭＩ）を含む不断の妨害及び間欠的な妨害を受ける。一実施例では、妨害は、ＲＦリンク１１５を介する信号送信及び／又はデータ又は情報の通信に使用されるパワーレベルより高いパワーレベルを有する信号から成る。図２に示すように、ＣＤＥＣ１１０及びＲＤＥＣ１２０の動作環境に存在することが可能である妨害の一例が妨害の時間と周波数行動を示すグラフとして提示されている。一実施例では、妨害は連続波（ＣＷ）妨害波２１０、方形波妨害波２２０及びパルス型妨害波２３０から構成されている。方形波妨害波２２０とパルス型妨害波２３０はレーダー混信２００を構成している。連続波（ＣＷ）妨害波２１０、方形波妨害波２２０及びパルス型妨害波２３０の各々を混信波と呼んでも良いことを理解すべきである。連続波（ＣＷ）妨害波２１０は、通常、相対的に長い持続時間を有し且つ限定された帯域幅２１５を有する信号を示す。方形波妨害波２２０とパルス型妨害波２３０は共に複数の繰返しパルス２２５及び２３５から構成されている。２種類のレーダー混信２００を比較してみると、方形波妨害波２２０は相対的に長い持続時間を有するが、パルス型妨害波２３０よりは小さい帯域幅を有するパルス２２５を示し、これに対し、パルス型妨害波２３０は持続時間は短いが、帯域幅は大きい。
【００１５】
図３には、ＲＦリンク１１５を介してＣＤＥＣ１１０とＲＤＥＣ１２０との間で送信可能であるデジタルメッセージ３００の一実施例が示されている。以下に記載するように、ＲＦリンク１１５を介する送信はＣＤＥＣトランシーバ１１２からＲＤＥＣトランシーバ１１６への送信として説明される。しかし、ＲＤＥＣトランシーバ１１６からＲＦリンク１１５を介してＣＤＥＣトランシーバ１１２へ送信を実行することも可能であり、従って、いずれのユニットもここで説明するように送信タスクを実行できるであろうということを理解すべきである。デジタルメッセージ３００はＣＤＥＣトランシーバ１１２によりＮ個のブロック３１０１、３１０２、．．．３１０Ｎに分割される。一実施例では、デジタルメッセージ３００はＣＤＥＣトランシーバ１１２により毎秒「Ｒ」の一定速度で生成される。一実施例においては、図４に示すように、Ｎ個のブロック３１０１、３１０２、．．．３１０ＮはＣＤＥＣトランシーバ１１２による送信のために作成され、等しい長さの各ブロック３１０１、３１０２、．．．３１０Ｎは１つのパケット３２０に変換される。この実施例では、パケット３２０はブロック番号フィールド３２１と、ブロックフィールド３２２と、エラーコントロールフィールド３２３とを含む。ブロック番号フィールド３２１はブロック３１０１、３１０２、．．．３１０Ｎのブロック番号を含む。ブロックフィールド３２２はブロック３１０１、３１０２、．．．３１０Ｎに含まれる情報及び／又はデータを含む。エラーコントロールフィールド３２３は送信中に起こったエラーを調整し且つ／又は識別するための情報を含む。一実施例では、エラーコントロールフィールド３２３はブロック番号フィールド３２１及びブロックフィールド３２２を介して計算される巡回冗長コード（ＣＲＣ）を含む。ブロック３１０１、３１０２、．．．３１０Ｎが変換された後、パケット３２０はＣＤＥＣトランシーバ１１２によりＲＦリンク１１５を介してＲＤＥＣトランシーバ１１６へ送信される。ＲＤＥＣトランシーバ１１６は送信されたパケット３２０を受信し、送信中にエラーが起こったか否かを判定する。一実施例においては、ＲＤＥＣトランシーバ１１６は、受信されたブロック番号フィールド３２１及び受信されたブロックフィールド３２２を介してＣＲＣを計算することによりエラーを判定する。ＲＤＥＣトランシーバ１１６により計算されたＣＲＣが受信されたエラーコントロールフィールド３２３のＣＲＣと一致する場合、ＲＤＥＣトランシーバ１１６はパケット３２０がエラーなく受信されたと想定する。計算されたＣＲＣが受信されたエラーコントロールフィールド３２３のＣＲＣと一致しない場合には、ＲＤＥＣトランシーバ１１６は受信されたパケット３２０がエラーなく受信されたのではないと想定し、ＲＤＥＣトランシーバ１１６はパケット３２０全体を廃棄する。別の実施例においては、エラーコントロールフィールド３２３は、あるいくつかの送信エラーがパケット３２０の受信されたブロックフィールド３２２の正確な復号を無効にしないように、組織順方向エラー訂正コードを含む。
【００１６】
図５には、ＣＤＥＣ１１０とＲＤＥＣ１２０を接続するＲＦリンク１１５の利用可能ＲＦ帯域幅に対するチャネル化が示されている。一実施例では、ＲＦリンク１１５は、例えば、９００ＭＨｚ、２．４ＧＨｚ、５．７ＧＨｚ及び１７．２ＧＨｚなどの様々な周波数で動作する。別の実施例においては、利用可能ＲＦ帯域幅はチャネル化行動を示す。図５において、ＲＦリンク１１５はＭ個のチャネル４００１、４００２、．．．４００Ｍを含む。一実施例では、Ｍ個のチャネル４００１、４００２、．．．４００Ｍは、Ｍ個のチャネル４００１、４００２、．．．４００Ｍそれぞれの間の周波数空間から構成される保護帯域４１０により分離されている。更に別の実施例においては、Ｍ個のチャネル４００１、４００２、．．．４００Ｍは周波数が連続しており、保護帯域４１０を持たない。Ｍ個のチャネル４００１、４００２、．．．４００Ｍそれぞれのスペクトル幅は１つのパケット３２０を送信するときに使用される信号送信のスペクトル幅を十分に含む。一実施例では、Ｍ個のパケット３２０を送信するために、Ｍ個のチャネル４００１、４００２、．．．４００Ｍを所定の数のＣＤＥＣトランシーバ１１２及び／又はＲＤＥＣトランシーバ１１６により同時に使用することが可能である。この実施例においては、Ｍ個のチャネルのうちの１つのチャネルで１つのパケット３２０を送信するために要求される時間はτ秒であり、メッセージ生成時間ごとに２つ以上のパケット３２０を送信するときにＭ個のチャネル４００１、４００２、．．．４００Ｍの各々を使用させるためには、
【数１】
2004274634.tif 000003
であると想定することができる。
【００１７】
別の実施例においては、Ｍ個のチャネル４００１、４００２、．．．４００ＭでＭ個のパケット３２０のうちの１つのサブセットを送信するために、Ｍ個のチャネル４００１、４００２、．．．４００Ｍを使用することができる。パケット３２０のサブセットの送信中、ＣＤＥＣ１１０及び／又はＲＤＥＣ１２０によりＭ個のチャネル４００１、４００２、．．．４００Ｍの送信品質を監視することができる。Ｍ個のチャネル４００１、４００２、．．．４００Ｍの送信品質が判定された後、Ｍ個のパケット３２０のうちの第２のサブセットがＭ個のチャネル４００１、４００２、．．．４００Ｍを介して送信される。Ｍ個のパケット３２０の第２のサブセットは、少なくとも一度送信されていなかったパケット３２０、及び送信済みパケット３２０をエラーなく搬送するには不十分な品質しか有していなかったＭ個のチャネル４００１、４００２、．．．４００Ｍのうちの１つのチャネルを介して送信されていたパケット３２０から構成されることが可能である。
【００１８】
図６には、Ｍ個のチャネル４００１、４００２、．．．４００Ｍを介してパケット３２０を送信する方法５００の一実施例が示されており、メッセージ生成時間ごとに送信できるフルパケットの数（Ｃ）は、
【数２】
2004274634.tif 000004
である。式中、
【数３】
2004274634.tif 000005
は  ｘ以下の最大の整数を表すフロア関数である。図６に示すように、パケット番号をそれぞれの番号の正しい受信の確率と関連付ける確率テーブルの確率エントリが０に初期設定される（ステップ５１０）。送信カウンタは１に設定される（ステップ５１５）。一実施例では、Ｎ個のパケット３２０を送信しなければならない。送信するため、Ｎ個のパケット３２０から１つのサブセット（Ｍ）が選択される（ステップ５２０）。
【数４】
2004274634.tif 000006
であると想定する。送信するために選択されるサブセットのＭ個のパケット３２０は、正しい受信の確率が最も低いパケット３２０である。選択されたサブセットのＭ個のパケット３２０が送信される（ステップ５３０）。送信カウンタはメッセージ生成時間ごとに送信可能であるフルパケットの数（Ｃ）と比較される（ステップ５４０）。送信カウンタがＣと等しい場合、可能な全パケット送信時間数の全てが使用されたため、方法５００は終了する（ステップ５５０）。送信カウンタがＣと等しくない場合には、Ｍ個のチャネル４００１、４００２、．．．４００Ｍの品質を推定し、サブセットのＭ個の送信済みパケットの正しい受信の確率をそれに従って調整する（ステップ５６０）。Ｍ個のチャネル４００１、４００２、．．．４００Ｍの品質を推定して、確率を調整した後、送信カウンタは１増分され（ステップ５７０）、送信するために別のサブセットであるＭ個のパケット３２０が選択される（ステップ５２０）。一実施例では、ＣＤＥＣ１１０又はＲＤＥＣ１２０においてプログラムされるアルゴリズムを使用して、図６に示される方法５００を実現できることを理解すべきである。デジタルメッセージ３００を通信するために利用可能な時間間隔は１／Ｒである。この時間間隔が終了した時点で、受信されたＮ個のパケット３２０を元の順序で連結することにより、デジタルメッセージ３００が推定される。
【００１９】
図７に示すような一実施例においては、図中符号６１０により指示されるＭ個のパケット３２０をＭ個のチャネル４００１、４００２、．．．４００Ｍで同時に送信するためにシステム６００が使用される。選択されたＭ個のパケット６１０の各々はＭ個のチャネル４００１、４００２、．．．４００Ｍのうちのそれぞれ異なる１つのチャネルへ変調され、チャネルごとに１つのパケットは直交周波数分割多重（ＯＦＤＭ）・広帯域送信器ユニット６２０を使用する。変調後、選択されたＭ個のパケット６１０は個別に且つ同時に、チャネルごとに１パケットずつ、Ｍ個のチャネル４００１、４００２、．．．４００Ｍを介して送信される。Ｍ個のパケットはＭ個の受信器６３０１、６３０２、．．．６３０Ｍによりそれぞれ個別に復調される。一実施例では、Ｍ個の受信器６３０１、６３０２、．．．６３０Ｍは広帯域受信器・ＯＦＤＭ復調器から構成されている。
【００２０】
先に説明したように、Ｍ個のパケット６１０の送信中、Ｍ個のチャネル４００１、４００２、．．．４００Ｍの各々の品質が監視されている。Ｍ個のチャネルのそれぞれについて、監視はＯＦＤＭ・広帯域送信器ユニット６２０で又はその付近で実行され、ＯＦＤＭ・広帯域送信器ユニット６２０は、Ｍ個のパケット６１０の各々に含まれるブロックフィールド３２２がエラーなく回復可能であるようにＭ個のパケット６１０の各々が受信された確率を推定することができる。Ｍ個のチャネル４００１、４００２、．．．４００Ｍのうちの特定の１つのチャネルの品質は、受信及び処理後にＭ個のチャネル４００１、４００２、．．．４００Ｍのうちのその特定の１つのチャネルを介して送信されるＭ個のパケット６１０のうちの１つのパケットがエラーなくＭ個のパケット６１０のうちのその１つのパケットと関連するブロックフィールド３２２を発生させる確率である。ＯＦＤＭ・広帯域送信器ユニット６２０がＭ個の受信器６３０１、６３０２、．．．６３０Ｍのいずれか１つに近接しているため、ＯＦＤＭ・広帯域送信器ユニット６２０はＭ個のチャネル４００１、４００２、．．．４００Ｍの品質を有効に推定することができる。品質を監視する実施例の１つにおいては、ＯＦＤＭ・広帯域送信器ユニット６２０はＭ個のパケット６１０のうちの１つのパケットの送信中にＭ個のチャネル４００１、４００２、．．．４００Ｍのうちの特定の１つのチャネルのパワーを監視する。Ｍ個のチャネル４００１、４００２、．．．４００Ｍのうちの特定の１つのチャネルから観測されるパワーはパワーの近似値であると考えられ、一実施例では、観測されるパワーは雑音と、混信とを含む可能性がある。この実施例においては、例えば、Ｍ個のチャネル４００１、４００２、．．．４００Ｍのうちの特定の１つのチャネルを介してＭ個のパケット６１０のうちの１つのパケットを送信する動作が様々な米連邦通信委員会（ＦＣＣ）法規及びいくつかのホスト機器電磁障害制限に準拠するために極めて低いレベルで実行されるために、観測されるパワーに雑音と混信が存在すると想定することができる。一実施例においては、パワーレベルは４８ｄＢμｖ／ｍである。従って、Ｍ個のチャネル４００１、４００２、．．．４００Ｍの特性がわかっていれば、Ｍ個のチャネルのうちの特定の１つのチャネル４００１、４００２、．．．４００Ｍを介して送信されるＭ個のパケット６１０のうちの特定の１つのパケットが関連するブロックフィールド３２２のエラーのない搬送をもたらす確率を計算することができるのである。一実施例では、Ｍ個のチャネルの特性は、例えば、混信を含むチャネル雑音、送信信号速度、送信信号パワー及び信号変調を含む。一実施例においては、Ｍ個のパケット６１０のうちのいずれか１つのパケットの送信がエラーを伴わない確率は、Ｍ個のパケット６１０のうちの送信される１つのパケットのビット当たりエネルギー（εｂ  ）をＭ個のチャネル４００１、４００２、．．．４００Ｍのうちの特定の１つのチャネルの雑音スペクトル密度（Ｎ０  ）で除算した値の関数である  ｆ（εｂ／Ｎ０）である。
【００２１】
Ｍ個のチャネル４００１、４００２、．．．４００Ｍのうちの少なくとも１つのチャネルが図２の方形波妨害波／混信波２２０又はパルス型妨害波／混信波２３０などのレーダー混信２００を受ける一実施例においては、Ｍ個のパケット６１０は、先に説明したように、レーダー混信２００の影響を受けないＭ個のチャネル４００１、４００２、．．．４００Ｍのうちのいずれかのチャネルを介して送信される。図８に示すように、Ｍ個のチャネル４００１、４００２、．．．４００Ｍのうちの、レーダー混信２００を受けるいずれかのチャネルにおいては、Ｍ個のパケット６１０は周期的な妨害を受けるＭ個のチャネル４００１、４００２、．．．４００Ｍのうちの各々チャネルを介して妨害レーダー混信２００の隙間７１０で送信される。図８では、パケット７１０はパルス型妨害２３０（図２）と関連する妨害パルス２３５の間に挿入されている。
【００２２】
一実施例では、Ｍ個のチャネル４００１、４００２、．．．４００Ｍのうちの少なくとも１つが、例えば、妨害パルス２３５により周期的に妨害されているか否かを判定するために、そのチャネルを診断することができる。図９に示すようなこの実施例においては、方法８００の１つの目的は妨害レーダー混信２００の隙間７１０にＭ個のパケット６１０を挿入するときに使用するための３つの推定子を生成することである。一実施例においては、それら３つの推定子はパルス妨害有無（ＰＰＪ）２進フラグと、量Ｒ１と、量Ｒ２である。ＰＰＪ２進フラグは妨害パルス２３５が検出されない場合に０に設定され、妨害パルス２３５が検出された場合には１に設定される。量Ｒ１はパルス妨害繰返し時間の逆値の近似値である。量Ｒ２は妨害パルス持続時間の近似値である。
【００２３】
図９に示すように、方法８００の一実施例では、３つのタイマーＴ０、Ｔ１及びＴ２が０に初期設定され、ＰＰＪ２進フラグも０に初期設定される（ステップ８１０）。それらの値が初期設定された後、妨害パルス２３５が存在するか否かを判定するために、Ｍ個のチャネル４００１、４００２、．．．４００Ｍのうちの特定の１つのチャネルが監視される（ステップ８１４）。一実施例では、妨害パルス２３５の有無は、Ｍ個のチャネル４００１、４００２、．．．４００Ｍのうちの特定の１つのチャネルにおける、指定された所定の閾値を超える雑音の有無を検出することにより判定される。一実施例においては、指定される所定の閾値は、妨害周期の間に信号送信されるビットがある程度の大きな確率をもって不正確に復号されるであろう確率に基づいて選択できる。妨害パルス２３５が検出されると（ステップ８１４）、タイマーＴ０が始動される（ステップ８２２）。タイマーＴ０の内容は予め確定されている上限である限界ＴＭＡＸと常時比較される（ステップ８２８）。タイマーＴ０は、予め確定されている速度を有するクロックにより駆動される。タイマーＴ０の内容とＴＭＡＸとの比較（ステップ８２８）は方法８００における他のどのステップからも独立して実行される。タイマーＴの内容がＴＭＡＸと等しくなると、方法８００は初期設定（ステップ８１０）に戻る。タイマーＴ０は、検出された妨害（ステップ８１４）が周期的妨害パルス２３５と無関係の逸脱したパルスバーストであった場合、又は観測された妨害の特性が変化した場合に方法８００をリセットするための時間切れ制約条件として利用される。
【００２４】
更に、妨害パルス２３５が検出された場合（ステップ８１４）、タイマー１及びタイマー２が始動される（ステップ８１８）。タイマー１及びタイマー２が始動された（ステップ８１８）後、妨害パルス２３５の中断を判定するためにＭ個のチャネル４００１、４００２、．．．４００Ｍのうちの特定の１つのチャネルが監視される（ステップ８２６）。一実施例では、妨害パルス２３５の中断は、信号パワーが所定の値より小さいときに判定される。妨害が停止したと判定された（ステップ８２６）場合、タイマー２が停止し、タイマー２（Ｔ２）の内容は格納レジスタＲ２に格納され、タイマー２は０に設定される（ステップ８３２）。タイマー２（Ｔ２）の内容は妨害パルス持続時間の推定である。再び、妨害パルス２３５の有無を判定するために、Ｍ個のチャネル４００１、４００２、．．．４００Ｍのうちの特定の１つのチャネルが監視される（ステップ８３６）。妨害パルス２３５が検出される（ステップ８３６）と、タイマー１が停止し、タイマー１（Ｔ１）の内容は格納レジスタＲ１に格納され、タイマー１は０に設定される（ステップ８４０）。タイマー１（Ｔ１）の内容はパルス妨害繰返し時間の逆値の推定値である。更に、タイマー１及びタイマー２が始動される（ステップ８４０）。再び、妨害パルス２３５の中断を判定するためにＭ個のチャネル４００１、４００２、．．．４００Ｍのうちの特定の１つのチャネルが監視される（ステップ８４４）。一実施例では、妨害パルス２３５の中断は、信号パワーが所定の値より小さいときに判定される。妨害パルス２３５が停止していた場合（ステップ８４４）、タイマー２は停止する（ステップ８４８）。タイマー２（Ｔ２）の内容は格納レジスタＲ２の内容（ｃ（Ｒ２）により指示される）と比較される（ステップ８５２）。タイマー２（Ｔ２）の内容が格納レジスタＲ２の内容（ｃ（Ｒ２））とほぼ等しくない場合（ステップ８５２）、方法８００は再び初期設定される（ステップ８１０）。一実施例では、タイマー２（Ｔ２）の内容と格納レジスタＲ２の内容（ｃ（Ｒ２））の差が所定のパーセンテージ以内におさまるとき、それら２つの量はほぼ等しい。別の実施例においては、システム規制子が所定のパーセンテージを判定する。タイマーＴ２の内容が格納レジスタの内容ｃ（Ｒ２）とほぼ等しい場合（ステップ８２５）、周期的パルス妨害は存在しており、周期的パルス妨害（ＰＰＪ）２進フラグは１（ハイ）に設定され、タイマー０及びタイマー２は０に設定される（ステップ８５６）。
【００２５】
再び、妨害パルス２３５の有無を判定するためにＭ個のチャネル４００１、４００２、．．．４００Ｍのうちの特定の１つが監視される（ステップ８６０）。妨害パルス２３５が検出されれば（ステップ８６０）、タイマー１が停止し、タイマー２は始動される（ステップ８６４）。タイマー１（Ｔ１）の内容は格納レジスタＲ１の内容（ｃ（Ｒ１）により指示される）と比較される（ステップ８６８）。タイマー１（Ｔ１）の内容が格納レジスタＲ１の内容（ｃ（Ｒ１））とほぼ等しくない場合、方法８００は再び初期設定される（ステップ８１０）。タイマー１（Ｔ１）の内容が格納レジスタＲ１の内容ｃ（Ｒ１）とほぼ等しい場合（ステップ８６８）、タイマー１は０に設定され、再び始動される（ステップ８７２）。一実施例では、タイマー１（Ｔ１）の内容と格納レジスタＲ１の内容（ｃＲ１））の差が所定のパーセンテージ以内におさまるとき、それら２つの量はほぼ等しい。別の実施例においては、システム規制子が所定のパーセンテージを判定する。再び、妨害パルス２３５の中断を判定するためにＭ個のチャネル４００１、４００２、．．．４００Ｍのうちの特定の１つのチャネルが監視される（ステップ８７６）。一実施例では、妨害パルス２３５の中断は、信号パワーが所定の値より小さいときに判定される。妨害パルス２３５が停止していた場合（ステップ８７６）、タイマー２が停止する（ステップ８８０）。タイマー２（Ｔ２）の内容は格納レジスタＲ２の内容（ｃ（Ｒ２）により指示される）と比較される（ステップ８８４）。タイマー２（Ｔ２）の内容が蓄積レジスタＲ２の内容（ｃ（Ｒ２））とほぼ等しくない場合、方法８００は再び初期設定される（ステップ８１０）。タイマー２（Ｔ２）の内容が格納レジスタＲ２の内容ｃ（Ｒ２）とほぼ等しい場合には（ステップ８８４）、タイマー２は０に設定される（ステップ８８８）。タイマー２が０に設定された（ステップ８８８）後、周期的パルス妨害（ＰＰＪ）の特性を判定するために方法８００はステップ８５６に戻る。一実施例では、タイマー１（Ｔ１）の内容が蓄積レジスタＲ１の内容（ｃ（Ｒ１））の内容の差が所定のパーセンテージ以内におさまっているとき、それら２つの量はほぼ等しい。別の実施例においては、システム規制子が所定のパーセンテージを判定する。図９に示すように、周期的パルス妨害（ＰＰＪ）が存在するという判定が下されたならば、ステップ８６０、８６４、８６８、８７２、８７６、８８０、８８４及び８８８を使用して、検出された周期的パルス妨害（ＰＰＪ）混信の特性が変化するか否かが判定されることを理解すべきである。
【００２６】
周期的パルス妨害が検出された場合、周期的パルス妨害（ＰＰＪ）フラグは１（ハイ）に設定される。図８に示すようにＭ個のパケット８１０を妨害パルス２３５の間の隙間７１０で送信することにより、Ｍ個のパケット６１０をＭ個のチャネル４００１、４００２、．．．４００Ｍのうちの特定の１つのチャネルを介して送信すべくスケジューリングすることができる。Ｍ個のパケット６１０を妨害パルス２３５の間の隙間７１０で送信するために、格納レジスタＲ１の内容（ｃ（Ｒ１））と格納レジスタＲ２の内容（ｃ（Ｒ２））を使用することができる。格納レジスタＲ１の内容（ｃ（Ｒ１））はパルス妨害繰返し時間の逆値から成り、格納レジスタＲ２の内容（ｃ（Ｒ２））は妨害パルス持続時間から成る。
【００２７】
妨害パルス２３５はＭ個の受信器６３０１、６３０２、．．．６３０Ｍのうちのいずれか１つの受信器をパルス妨害信号持続時間より著しく長い持続時間にわたり感度抑圧する可能性がある。一実施例では、図１０に示すように、Ｍ個の受信器６３０１、６３０２、．．．６３０Ｍのフロントエンドは、Ｍ個の受信器６３０１、６３０２、．．．６３０Ｍの感度抑圧を防止するためのパルスシールド９００を含む。アンテナ９２０により受信される信号及び妨害波９１０から構成される電磁環境において、フロントエンド９１５のＲＦ部分は遅延線路９３０と、パルス検出器９４０とを含む２つの経路に分割されている。パルス検出器９４０は、例えば、妨害パルス２３５などのパルス混信を検出する回路を具備する。一実施例では、パルス検出器９４０は放射計又は電力閾値装置である。パルス検出器９４０が妨害パルス２３５を検出すると、ブランキングスイッチ９５０が開成する。従って、遅延線路９３０が入力信号及び妨害波９１０を遅延させるため、ブランキングスイッチ９５０の開成によって、受信器９６０を感度抑圧するおそれがある妨害パルス２３５を受信器９６０が受信する事態は防止される。
【００２８】
以上、例示及び説明を目的として本発明の解説を提示した。上記の教示並びに関連技術分野の技術及び知識に従った変更及び変形は本発明の範囲内に含まれる。なお、特許請求の範囲に記載された符号は、理解容易のためであってなんら発明の技術的範囲を実施例に限縮するものではない。
【図面の簡単な説明】
【図１】近距離ＲＦ通信を使用する分散制御ループの代表的な一実施例を示すブロック線図。
【図２】電磁環境に存在すると考えられる代表的な混信波の周波数チャネルと時間との関係を表すグラフ。
【図３】複数のブロックに分割されているデジタルメッセージの代表的な一実施例を示すブロック線図。
【図４】デジタルメッセージの１つのブロックに含まれるパケットの代表的な一実施例を示すブロック線図。
【図５】ＲＦスペクトルのチャネル化の代表的な一実施例の周波数と時間との関係を表すグラフ。
【図６】送信のためにパケットを選択する場合の代表的な一実施例のフローチャート。
【図７】複数の異なるチャネルでパケットを送信するための変調器及び送信器のブロック線図。
【図８】パルス妨害信号の隙間で送信されるパケットを示す周波数チャネルと時間との関係を表す図。
【図９】妨害プロセスのパラメータを推定するための代表的な一実施例のフローチャート。
【図１０】受信器フロントエンドを感度抑圧から保護するためのパルスシールドの代表的な一実施例を示すブロック線図。
【符号の説明】
１００…分散型フルオーソリティデジタルエレクトロニックコントロール（ＦＡＤＥＣ）、１１０…セントラルデジタルエレクトロニックコントローラ（ＣＤＥＣ）、１１２…ＣＤＥＣトランシーバ、１１５…無線周波数（ＲＦ）リンク、１１６…ＲＤＥＣトランシーバ、１２０…リモートデジタルエレクトロニックコントローラ（ＲＤＥＣ）、１３０…センサ
【図１】
2004274634.tif 000007
【図２】
2004274634.tif 000008
【図３】
2004274634.tif 000009
【図４】
2004274634.tif 000010
【図５】
2004274634.tif 000011
【図６】
2004274634.tif 000012
【図７】
2004274634.tif 000013
【図８】
2004274634.tif 000014
【図９】
2004274634.tif 000015
【図１０】
2004274634.tif 000016
【手続補正書】
【提出日】平成15年5月2日(2003.5.2)
【手続補正１】
【補正対象書類名】明細書
【補正対象項目名】特許請求の範囲
【補正方法】変更
【補正の内容】
【特許請求の範囲】
【請求項１】
複数の無線周波数（ＲＦ）チャネルを有するＲＦ通信ネットワークを介してメッセージを通信する方法において、
メッセージを所定の順序を有する複数のブロックに分割する過程と、
複数のブロックを複数のパケットに変換する過程と、
複数のパケットから１つのサブセットを選択する過程と、
複数のパケットのうちの被選択サブセットを前記ＲＦ通信ネットワークの複数のＲＦチャネルのうちの少なくとも１つのＲＦチャネルを介して送信する過程と、
複数のＲＦチャネルのうちの前記少なくとも１つのＲＦチャネルを介して送信された複数のパケットのうちの被選択サブセットを受信する過程と、
複数のパケットのうちの少なくとも受信された被選択サブセットから複数のＲＦチャネルのうちの前記少なくとも１つのＲＦチャネルの品質を推定する過程と、
複数のパケットのうちの少なくとも受信された被選択サブセットと、複数のＲＦチャネルのうちの前記少なくとも１つのＲＦチャネルの推定された品質とを使用して、メッセージの推定を構成する過程とから成る方法。
【請求項２】
複数のパケットの各々は少なくともブロック番号フィールドと、ブロックフィールドと、エラーコントロールフィールドとを含む請求項１記載の方法。
【請求項３】
エラーコントロールフィールドは巡回冗長コードを含む請求項２記載の方法。
【請求項４】
エラーコントロールフィールドは順方向エラー訂正符号化情報を含む請求項２記載の方法。
【請求項５】
複数のパケットのうちの被選択サブセットを送信する過程は、直交周波数分割多重（ＯＦＤＭ）通信技法を使用する請求項１記載の方法。
【請求項６】
複数のパケットのうちの被選択サブセットを送信する過程は、Ｂｌｕｅｔｏｏｔｈ通信技法及びＩＥＥＥ規格８０２．１１通信技法から成る技法群から選択される通信技法を使用して複数のパケットのうちの被選択サブセットを送信することから成る請求項１記載の方法。
【請求項７】
送信する過程は、
前記複数のＲＦチャネルのうちの少なくとも１つのＲＦチャネルにおける妨害パルスの有無を検出する過程と、
前記複数のＲＦチャネルのうちの少なくとも１つのＲＦチャネルにおける妨害パルスの、少なくとも妨害パルスの隙間を定義する特性を判定する過程と、
複数のパケットのうちの被選択サブセットを前記複数のＲＦチャネルのうちの少なくとも１つのＲＦチャネルを介して、複数のパケットのうちの被選択サブセットが妨害パルスの特性を判定する過程から判定された妨害パルスの隙間の中で送信されるように送信する過程とを更に含む請求項１記載の方法。
【請求項８】
特性は少なくとも妨害パルスの持続時間と、妨害パルスの繰返し時間とを含む請求項７記載の方法。
【請求項９】
無線周波数（ＲＦ）通信ネットワークの複数のＲＦチャネルのうちの少なくとも１つのＲＦチャネルを介してメッセージを送信する方法において、
前記複数のＲＦチャネルのうちの少なくとも１つのＲＦチャネルにおける妨害パルスの有無を検出する過程と、
前記複数のＲＦチャネルのうちの少なくとも１つのＲＦチャネルにおける妨害パルスの、少なくとも妨害パルスの隙間を定義する特性を判定する過程と、
前記複数のＲＦチャネルのうちの少なくとも１つのチャネルを介して、メッセージが妨害パルスの特性を判定する過程から判定された妨害パルスの隙間の中で送信されるようにメッセージを送信する過程とから成る方法。
【請求項１０】
メッセージを所定の順序を有する複数のブロックに分割する過程と、
複数のブロックを複数のパケットに変換する過程と、
複数のパケットのうちのサブセットを選択する過程とを更に含み、
送信する過程は、複数のパケットのうちの被選択サブセットを前記複数のＲＦチャネルのうちの少なくとも１つのＲＦチャネルを介して送信することを更に含む請求項９記載の方法。
【請求項１１】
前記複数のＲＦチャネルのうちの少なくとも１つのＲＦチャネルを介して送信された複数のパケットのうちの被選択サブセットを受信する過程と、
複数のパケットのうちの少なくとも受信された被選択サブセットから複数のＲＦチャネルのうちの前記少なくとも１つのＲＦチャネルの品質を推定する過程と、
複数のパケットのうちの少なくとも受信された被選択サブセットと、複数のＲＦチャネルのうちの前記少なくとも１つのＲＦチャネルの推定された品質とを使用して、メッセージの推定を構成する過程とを更に含む請求項１５記載の方法。
【請求項１２】
方法は、メッセージの複数のブロックを得るために複数のパケットのうちの受信された被選択サブセットを処理することを更に含む請求項１又は請求項１１記載の方法。
【請求項１３】
メッセージの推定を構成する過程は、所定の順序を有する複数のブロックを得るためにメッセージの複数のブロックを順序付けする過程を含む請求項１２記載の方法。
【請求項１４】
複数のパケットのうちのサブセットを選択する過程は、複数のパケットのうちの、所定のエラーなし受信確率を有するサブセットを選択することから成る請求項１又は請求項１０記載の方法。
【請求項１５】
特性は少なくとも妨害パルスの持続時間と、妨害パルスの繰返し時間とを含む請求項９記載の方法。
【請求項１６】
複数のパケットのうちの被選択サブセットを送信する過程はＢｌｕｅｔｏｏｔｈ通信技法を使用する請求項１又は請求項９記載の方法。
【請求項１７】
複数のパケットのうちの被選択サブセットを送信する過程はＩＥＥＥ規格８０２．１１通信技法を使用する請求項１又は請求項９記載の方法。
【外国語明細書】
2004274634.tif 000017
2004274634.tif 000018
2004274634.tif 000019
2004274634.tif 000020
2004274634.tif 000021
2004274634.tif 000022
2004274634.tif 000023
2004274634.tif 000024
2004274634.tif 000025
2004274634.tif 000026
2004274634.tif 000027
2004274634.tif 000028
2004274634.tif 000029
2004274634.tif 000030
2004274634.tif 000031
2004274634.tif 000032
2004274634.tif 000033
2004274634.tif 000034
2004274634.tif 000035
2004274634.tif 000036
2004274634.tif 000037
2004274634.tif 000038
2004274634.tif 000039
2004274634.tif 000040
2004274634.tif 000041
2004274634.tif 000042
2004274634.tif 000043
2004274634.tif 000044
2004274634.tif 000045
2004274634.tif 000046
2004274634.tif 000047
2004274634.tif 000048
2004274634.tif 000049
2004274634.tif 000050